(57)【特許請求の範囲】
【請求項１】
トレイの多数の穴で育苗した苗を子葉の下で斜めに切断して台木とし、台木の切断面に、トレイの穴で育苗した他の苗を花芽分化前で本葉が１枚以下のときに子葉の下で前記台木と逆向き斜めに切断して取り出した穂木の切断面を接合し、その接合部分を接合クリップで挟着保持し、接合クリップは２枚の板部（７）がＶ字状に樹脂成型され、２枚の板部（７）の連結部よりも外側角部に丸穴状の縦溝（８）が成型され、縦溝（８）は２枚の板部（７）の縦溝（８）と反対側を互いに接近させると広がって縦溝（８）内に台木と穂木の接合部分を挟むことができ、２枚の板部（７）の前記接近を解除すると元に戻って縦溝（８）の径が縮まって前記接合部分を挟着保持できるクリップであることを特徴とするトレイを使用した苗の接ぎ木方法。
【請求項２】
請求項１記載のトレイを使用した苗の接ぎ木方法において、台木となる植物の種子を接ぎ木予定日の２３日前後に播種し、穂木となる植物の種子を接ぎ木予定日の１９日前後に播種し、播種後に履土して温度約２５℃、湿度約９５％以上の定温庫内で７２時間前後養成して発芽させ、更に１９℃前後〜２５℃前後に保たれた温室にて育苗し、台木となる苗を切断した台木の切断面と、穂木となる花芽分化前に切断した穂木の切断面とを突き合わせて接合し、その接合部分を接合クリップにより挟着保持し、接ぎ木した苗を温度約２５℃、湿度約９５％以上の定温庫にて約４８時間接合養成し、直射日光を約２万ルクス以下に抑えた温室にて４８時間前後養成し、約１９℃〜約２５℃に保たれた温室にて８日前後育苗することを特徴とするトレイを使用した苗の接ぎ木方法。
【請求項３】
請求項１記載のトレイを使用した苗の接ぎ木方法において、台木となる植物の種子を接ぎ木予定日の２８日前後に、その種子の胚芽をトレイの培地の中へ下向きに差し込んで播種し、穂木となる植物の種子を接ぎ木予定日の２３日前後に播種し、播種後に履土して温度約２５℃、湿度約９５％以上の定温庫内で７２時間前後養成して発芽させ、更に約１９℃〜約２５℃に保たれた温室にて育苗し、台木となる苗を切断した台木の切断面と、穂木となる花芽分化前に切断した穂木の切断面とを突き合わせて接合し、その接合部分を接合クリップにより挟着保持し、接ぎ木した苗を温度約２５℃、湿度約９５％以上の定温庫にて４８時間前後接合養成し、直射日光を約２万ルクス以下に抑えた温室にて４８時間前後養成し、約１９℃〜約２５℃に保たれた温室にて８日前後育苗することを特徴とするトレイを使用した苗の接ぎ木方法。
【請求項４】
請求項１記載のトレイを使用した苗の接ぎ木方法において、台木となる植物の種子を接ぎ木予定日の７日前後に、その種子の胚芽をトレイの培地の中へ下向きに差し込んで播種し、穂木となる植物の種子を接ぎ木予定日の９日前後に播種し、播種後に履土して温度約２５℃、湿度約９５％以上の定温庫内で４８時間前後養成して発芽させ、更に約１９℃〜約２５℃に保たれた温室にて育苗し、台木となる苗を切断した台木の切断面と、穂木となる花芽分化前に切断した穂木の切断面とを突き合わせて接合し、その接合部分を接合クリップにより挟着保持し、接ぎ木した苗を温度約２５℃、湿度約９５％以上の定温庫にて４８時間前後接合養成し、直射日光を１万ルクス以下に抑えた温室にて４８時間前後養成し、約１９℃〜約２５℃に保たれた温室にて７日前後育苗することを特徴とするトレイを使用した苗の接ぎ木方法。
【請求項５】
請求項１乃至請求項４のいずれかに記載のトレイを使用した苗の接ぎ木方法において、トレイに２００穴以上のプラグトレイを使用したことを特徴とするトレイを使用した苗の接ぎ木方法。
【発明の詳細な説明】
【０００１】
【発明の属する技術分野】
本発明は植物栽培用トレイ、例えばプラグトレイに育苗された花苗や野菜苗といった苗の台木に穂木を接ぎ木する方法に関するものである。
【０００２】
【従来の技術】
花苗や野菜苗といった苗の接ぎ木は従来から行われている。輸入されているプラグ苗生産（セル苗、成形苗）が定着して１５年余りになる。元々花壇苗の大量流通方法として開発された技術が日本へ導入されてから、切り花苗生産や野菜苗生産、更に接ぎ木苗生産といったように日本の農業生産者の要望を取り入れて需要が拡大されてきた。
【０００３】
プラグ苗を接ぎ木する場合は、プラグトレイに植えたプラグ苗を台木とし、他のプラグトレイに植えたプラグ苗を穂木として接いでいる。プラグトレイは一つのトレイにプラグ形状の細長縦穴が多く形成されたものである。プラグトレイの外形サイズ（トレイ部分の縦横のサイズ）には各種あり、大別すると水稲育苗箱に合った大きさ（３０×６０ｃｍ）のものと、アメリカなどで使用されていたインチサイズ（２８×５４ｃｍ）のものに分けられ、夫々のトレイに形成されている穴数によって規格が分けられている。１枚のプラグトレイの穴数は１８穴から８００穴程度まであり、７２穴、１２８穴、２００穴、２８８穴、４０６穴などが一般の流通規格になっている。
【０００４】
現在は７２穴や１２８穴のプラグトレイで育苗された台木に穂木を接ぎ木した接ぎ木苗が流通の主力となっている。この種の接ぎ木苗として流通している主な作物はトマト、ナス、キュウリ、スイカ等であり、大別するとナス科、ウリ科の作物である。７２穴や１２８穴が主流となっている理由は特に見当たらないが、次の様な理由によるものと思われる。
１．なるべく小さなサイズのトレイに多数の穴が形成されたプラグトレイを使用することにより、輸送性を向上させ、コストを低減させて植物１本当たり価格を安価にする。それには７２穴や１２８穴のプラグトレイが適する。
２．プラグトレイは外形サイズが同じであれば穴数が多くなると穴間隔が狭くなる。このため台木が大きくなってから接ぎ木したのでは接ぎ木後の苗同士が接触して苗の成育に好ましくない。それを避けるためには７２穴や１２８穴のプラグトレイが適する。
３．台木が小さいうちに接ぎ木すればトレイの穴数が多くても接ぎ木後の苗同士が接触しにくくなるが、台木が小さいうちに接ぎ木する技術が開発されていないため７２穴や１２８穴が適する。
【０００５】
【発明が解決しようとする課題】
７２穴や１２８穴のプラグトレイを使用した接ぎ木苗には格別問題はないが、同じ生産施設を利用して、これまで以上に多くの植物個体を効率良く生産し、輸送費を軽減して現在の価格よりも安価な接ぎ木苗を需要者に提供することが苗生産者からも需要者からも要望されている。
【０００６】
【課題を解決するための手段】
本発明の目的は前記要望に応えるべく、穴数の多いプラグトレイ（穴の容積が小さく、穴間隔が狭いプラグトレイ）を使用して、一枚のプラグトレイでより多くの苗を接ぎ木できる接ぎ木方法を提供することにある。そのため本件発明者は長年に渡って鋭意研究を重ねて本件発明を開発した。
【０００７】
本発明の苗の接ぎ木方法は、トレイの多数の穴で育苗した苗を子葉の下で斜めに切断して台木とし、台木の切断面に、トレイの穴で育苗した他の苗を花芽分化前で本葉が１枚以下のときに子葉の下で前記台木と逆向き斜めに切断して取り出した穂木の切断面を接合し、その接合部分を接合クリップで挟着保持し、接合クリップは２枚の板部７がＶ字状に樹脂成型され、２枚の板部７の連結部よりも外側角部に丸穴状の縦溝８が成型され、縦溝８は２枚の板部７の縦溝８と反対側を互いに接近させると広がって縦溝８内に台木と穂木の接合部分を挟むことができ、２枚の板部７の前記接近を解除すると元に戻って縦溝８の径が縮まって前記接合部分を挟着保持できるクリップである。
【０００８】
【発明の実施の形態】
（実施形態１）
本発明の第１の実施形態として、２００穴もしくは２８８穴のプラグトレイを使用してトマトを接ぎ木する方法について説明する。
（１）２００穴もしくは２８８穴トレイ１に、台木となるトマトの種子を接ぎ木予定日の２３日前に播種し、２００穴もしくは２８８穴トレイ１に穂木となるトマトの種子を接ぎ木予定日の１９日前に播種する。
（２）前記播種後、細粒バーミキュライトにて均一に履土し、温度２５℃、湿度９５％以上の定温庫にて７２時間前後養成して発芽させ、更に１９℃〜２５℃に保たれた温室にて育苗を行う。
（３）台木２となる苗と穂木３となる苗とを花芽分化前で図１のように本葉が１枚以下のときに子葉のすぐ下で斜め（３０度前後が適する）に切断し、台木２と穂木３の切断面４、５同士を突き合わせて接合し、その接合部分を接合クリップ６により挟着保持する。
（４）接ぎ木した苗は、温度２５℃、湿度９５％以上の定温庫にて４８時間接合養成し、直射日光を２万ルクス以下に抑えた温室にて４８時間養成し、１９℃〜２５℃に保たれた温室にて８日前後育苗して需要者に出荷する。
（５）前記接合クリップ６には例えば図３に示すものを使用するのが適する。これは透明な樹脂により成型されており、２枚の板部７がＶ字状に成型され、その外側角部に丸穴状の縦溝８が成型されており、２枚の板部７を指でつまんで互いに接近させると縦溝８が広がり、２枚の板部７の接近を解除して元に戻すと縦溝８も元に戻って丸穴の径が縮まるようにしてある。縦溝８を広げたときに縦溝８内に台木と穂木の接合部分を挟み、縦溝８が元に戻ることにより接合部分を挟着保持する。接合クリップの寸法としては板部７の幅７ｍｍ前後、高さ１０ｍｍ前後が適する。これら寸法は他の寸法でも良い。樹脂も透明でなくともよい。例えば半透明なものとか、不透明なものも良い。透明であれば、その内側の苗の接合状態（接ぎ木の状態）をその外部から透視して確認することができるため便利である。
【０００９】
（実施形態２）
本発明の第２の実施形態として、２００穴もしくは２８８穴のプラグトレイを使用してナスの穂木を接ぎ木する方法について説明する。
（１）２００穴もしくは２８８穴トレイに、台木となるナスの種子を接ぎ木予定日の２８日前に播種し、２００穴もしくは２８８穴トレイに穂木となるナスの種子を接ぎ木予定日の２３日前に播種する。
（２）前記播種後、細粒バーミキュライトにて均一に履土し、温度２５℃、湿度９５％以上の定温庫にて７２時間前後養成して発芽させ、更に１９℃〜２５℃に保たれた温室にて育苗を行う。
（３）台木２となる苗と穂木３となる苗とを花芽分化前で図１のように本葉が１枚以下のときに子葉のすぐ下で斜めに切断し、台木と穂木の切断面４、５同士を突き合わせて接合し、その接合部分を接合クリップ６により挟着保持する。
（４）接ぎ木した苗は、温度２５℃、湿度９５％以上の定温庫にて４８時間接合養成し、直射日光を２万ルクス以下に抑えた温室にて４８時間養成し、１９℃〜２５℃に保たれた温室にて８日前後育苗して需要者に出荷する。
【００１０】
（実施形態３）
本発明の第３の実施形態として、２００穴のプラグトレイを使用してキュウリの穂木を接ぎ木する方法について説明する。
（１）２００穴トレイに、台木となるカボチャの種子を接ぎ木予定日の７日前に播種する。このときその種子の胚芽をトレイ培地の中へ下向きに差し込んで播種する。これとは別に２００穴トレイに穂木となるキュウリの種子を接ぎ木予定日の９日前に播種する。台木の種子の播種時に種子の胚芽をトレイ培地の中へ下向きに差し込む。
（２）前記播種後、細粒バーミキュライトにて均一に履土し、温度２５℃、湿度９５％以上の定温庫にて４８時間前後養成して発芽させ、更に１９℃〜２５℃に保たれた温室にて育苗を行う。
（３）台木２となる苗と穂木３となる苗とを花芽分化前で図１のように本葉が１枚以下のときに子葉の直下で斜めに切断し、台木と穂木の切断面４、５同士を突き合わせて接合し、その接合部分を接合クリップ６により挟着保持する。
（４）接ぎ木した苗は、温度２５℃、湿度９５％以上の定温庫にて４８時間接合養成し、直射日光を１万ルクス以下に抑えた温室にて７２時間養成し、１９℃〜２５℃に保たれた温室にて７日前後育苗して需要者に出荷する。
【００１１】
（実施形態４）
本発明の第４の実施形態として、２００穴もしくは２８８穴のプラグトレイを使用してスイカの穂木を接ぎ木する方法について説明する。
（１）２００穴のトレイに、台木となるスイカの種子を接ぎ木予定日の７日前に播種する。このときその種子の胚芽をトレイ培地の中へ下向きに差し込んで播種する。これとは別に２００穴もしくは２８８穴トレイに穂木となるスイカの種子を接ぎ木予定日の９日前に播種する。
（２）前記播種後、細粒バーミキュライトにて均一に履土し、温度２５℃、湿度９５％以上の定温庫にて４８時間前後養成して発芽させ、更に１９℃〜２５℃に保たれた温室にて育苗を行う。
（３）台木２となる苗と穂木３となる苗とを花芽分化前で図１のように本葉が１枚以下のときに子葉の直下で斜めに切断し、スイカの穂木をスイカの台木に接合し、両木の接合部分を接合クリップにより挟着保持する。接合クリップには図３に示すものを使用することができる。
（４）接ぎ木した苗は、温度２５℃、湿度９５％以上の定温庫にて４８時間接合養成し、直射日光を１万ルクス以下に抑えた温室にて７２時間養成し、１９℃〜２５℃に保たれた温室にて７日前後育苗して需要者に出荷する。
【００１２】
（実施形態５）
本発明の接ぎ木方法は前記の野菜苗以外の野菜苗の接ぎ木にも、花苗等の接ぎ木にも採用することができる。プラグトレイには２８８穴以上の穴数のものを使用することもできる。又、台木には花芽分化前に切断した苗でも、花芽分化後に切断した苗でも使用することができる。
【００１３】
【発明の効果】
請求項１〜請求項４記載の苗の接ぎ木方法は穂木として、図１のように花芽分化前で本葉が１枚以下のときに切断した苗を使用して接ぎ木するので次のような効果がある。
１．苗の花芽組織が破壊されないため、本発明の接ぎ木方法で接ぎ木された苗を使用すると収穫量が向上する。
２．台木としてトレイの穴に育苗した苗を使用するので、穴間隔の狭い２００穴以上のプラグトレイを使用することができ、一枚のプラグトレイで多くの苗を接ぎ木して、安価で運搬効率が良く、取扱いの容易な接ぎ木苗を提供することができる。
３．台木と穂木の接合箇所をクリップで挟着保持するので、固定し易く、固定が確実になり、活着率が高まる。
【図面の簡単な説明】
【図１】  本発明の接ぎ木方法の説明図。
【図２】  本発明の接ぎ木された苗の説明図。
【図３】  本発明の接ぎ木方法に使用される接合クリップの一例を示す斜視図。
【符号の説明】
１  トレイ
２  台木
３  穂木
４  台木の切断面
５  穂木の切断面
６  接合クリップ
７  板部
８  縦溝
【図１】
0003666849.tif 000002
【図２】
0003666849.tif 000003
【図３】
0003666849.tif 000004